(57)【要約】【課題】  小出し部に残った内容物を収容部に戻してジッパーをした後も、手間をかけることなく小出し部に埃やその他の物の混入を防止可能にすることにより衛生面および安全面での向上を図ることができる取出口付き袋体を提供する。【解決手段】  突出部５ｂをつまみ蓋部５を小出し部３より剥離すると、遮蔽シート部３ｂが蓋部５の裏面に貼付した状態で立ち上がり、取出口が現れる。ジッパー４を開き、袋体１を小出し部３が下側になるように傾けることにより収容部２の内容物を取出口まで滑らせる。取出口の残り物は収容部に戻しジッパーを閉じ、取出口に蓋部を５を被せて突出部を折り曲げて小出し部の上端に係止することにより埃などの進入を確実に防止できる。【選択図】    図１
2006056537.tif 000002
【特許請求の範囲】
【請求項１】
合成樹脂フィルムまたはシートからなる袋状の収容部と、
合成樹脂フィルムまたはシートからなり、前記収容部の開口部に連設される袋状の小出し部と、
前記収容部と前記小出し部の間を仕切る開閉自在のジッパーと、
前記小出し部の一面を、前記収容部寄りに一端が繋がるように切り出すことにより取出口を形成するとともに該切り出した部分が取出口を遮蔽する機能を有する遮蔽シート部と、
再剥離性感熱粘着材が塗布され前記遮蔽シート部を含む小出し部の略全体を覆って貼着され、その一部が前記小出し部の上端より延出した突出部を有する蓋部とを有し、
前記突出部を摘んで前記蓋部を剥がし、剥がした蓋部に前記遮蔽シート部が該蓋部の裏面に貼着され、かつ一端が前記小出し部に結合された状態で前記取出口が開口され、
前記剥がされた蓋部は前記収容部寄り位置を支点として収容部側に起立させられることを特徴とする取出口付き袋体。
【請求項２】
前記小出し部の一面から切り出される遮蔽シート部は、該切り出される遮蔽シートの形状と該小出し部の一面側に残る取出口の形状は異なることを特徴とする請求項１記載の取出口付き袋体。
【請求項３】
前記蓋部の突出部を除く部分に前記再剥離性感熱粘着剤を適量塗布したことを特徴とする請求項１記載の取出口付き袋体。
【請求項４】
前記小出し部の上端にフック掛用の孔を有することを特徴とする請求項１記載の取出口付き袋体。
【発明の詳細な説明】
【技術分野】
【０００１】
本発明は、ピーナツ，さきいかなどのおつまみ類やお菓子などを収容する袋体、さらに詳しく云えば、収容された内容物を取り出すための取出口を持つ小出し部を有する袋体に関する。
【背景技術】
【０００２】
合成樹脂フィルムまたはシートからなる袋体は、あられや煎餅などの菓子類，さきいかやバターピーナツなどのおつまみ類を始めとして、各種物品の包装に広く各家庭ではもちろん、旅先でも利用されている。
本件出願人はこれら袋体について必要量取り出すために袋体の一部に、取出口を有する小出し部を設け、この小出し部と内容物を収容する収容部の中間にジッパーを取り付けた構造の袋体を提案している（特許文献１）。
この提案によれば、旅先などで必要量だけ内容物を収容部から小出し部に移動させることにより小出し部を小皿として機能させ、小出し部に移動させた内容物が残った場合には残りものを収容部に戻してジーパーを閉じることにより保管し、再度同じようにして一度開封した袋体の中身を繰り返し取り出すことができるようにしたもので、袋体の中身を必要量だけ取り出す場合に甚だ都合のよい構造である。
【特許文献１】特開２００４−１２３１５２号公報
【発明の開示】
【発明が解決しようとする課題】
【０００３】
ところで特許文献１には以下のような問題があった。
小出し部の取出口に移動させた内容物が残った場合、その内容物を収容部に戻しジッパーを閉じれば、つぎの機会に収容部より再度、取出部まで内容物を移動させ、容易に取り出すことができる。しかしながら、一旦、遮蔽シートを剥がしてしまうと、ジッパーにより小出し部と収容部との間は完全に遮蔽されるが、該袋体の保管中、取出部が開いているため、小出し部に埃やその他のものが入り込む可能性がある。これを防止するための手軽な方法として、開口している取出部の上に剥がした遮蔽シートで覆いをすることが考えられる。しかしながら、遮蔽シートは切り離してしまうため、開封時に捨てることが多く、また、この遮蔽シートで覆いをしても取出部の周囲に再度貼着できない（再剥離性感熱型粘着剤を使用）ため、保管中に取出口よりずれることがあり、防塵等に完全であるとはいえない。
【０００４】
本発明は、上記問題を解決するもので、その目的は、小出し部に残った内容物を収容部に戻してジッパーをした後も、手間をかけることなく小出し部に埃やその他のものの混入を確実に防止可能にすることにより衛生面および安全性の向上を図ることができる取出口付き袋体を提供することにある。
【課題を解決するための手段】
【０００５】
前記目的を達成するために本発明の請求項１は、合成樹脂フィルムまたはシートからなる袋状の収容部と、合成樹脂フィルムまたはシートからなり、前記収容部の開口部に連設される袋状の小出し部と、前記収容部と前記小出し部の間を仕切る開閉自在のジッパーと、前記小出し部の一面を、前記収容部寄りに一端が繋がるように切り出すことにより取出口を形成するとともに該切り出した部分が取出口を遮蔽する機能を有する遮蔽シート部と、再剥離性感熱粘着材が塗布され前記遮蔽シート部を含む小出し部の略全体を覆って貼着され、その一部が前記小出し部の上端より延出した突出部を有する蓋部とを有し、前記突出部を摘んで前記蓋部を剥がし、剥がした蓋部に前記遮蔽シート部が該蓋部の裏面に貼着され、かつ一端が前記小出し部に結合された状態で前記取出口が開口され、前記剥がされた蓋部は前記収容部寄り位置を支点として収容部側に起立させられることを特徴とする。
本発明の請求項２は、請求項１記載の発明において前記小出し部の一面から切り出される遮蔽シート部は、該切り出される遮蔽シートの形状と該小出し部の一面側に残る取出口の形状は異なることを特徴とする。
本発明の請求項３は、請求項１記載の発明において前記蓋部の突出部を除く部分に前記再剥離性感熱粘着材を適量塗布したことを特徴とする。
本発明の請求項４は、請求項１記載の発明において前記小出し部の上端にフック掛用の孔を有することを特徴とする。
【発明の効果】
【０００６】
上記構成によれば、小出し部に移動させた内容物が余り、この内容物を収容部に戻しジッパーを閉じて保管するときには、蓋部の一端（遮蔽シート部の一端が小出し部に繋がっているため）が小出し部に確実に貼着されているため蓋部を取出口に被せるだけで取出口を覆い、埃などの混入を防止でき衛生面や安全性の向上に寄与できる。また、蓋部に可塑性シートを用いれば蓋部を取出口に被せた後、突出部を折り曲げて小出し部の端部に係止することができるので、遮蔽シート部の弾性力などにより被せた蓋部が取出口から浮き上がることはなく確実な防塵を確保できる。
【発明を実施するための最良の形態】
【０００７】
以下、図面等を参照して本発明の実施の形態を詳しく説明する。
本発明による取出口付き袋体は、１つの筒状に形成されたフィルムまたはシート等の内部に小出し部と収容部に分割するジッパーを設けて製造する場合や、菓子やつまみなど内容物を収容する収容部と小皿替わりとして機能する取出口を有する小出し部を別々に設けてこれらを熱融着して製造する場合があるが、この実施の形態は前者の方法である。
図１は、本発明による取出口付き袋体の実施の形態を示す図で、（ａ）は正面図，（ｂ）はＡ−Ａ断面図，（ｃ）はＢ−Ｂ断面図である。
この発明の取出口付き袋体１は、通常矩形状の合成樹脂フィルムまたはシートから成形された袋体からなるもので、それらの袋体はポリエチレン，ポリプロピレン等のポリオレフィン，塩化ビニル，ナイロン製のフィルムまたはシートを折り畳んで、または２枚を重ねて、さらには筒状に形成されたフィルムまたはシート等の端部を熱融着などして接合することにより形成される。本発明は１つの袋体のフィルムまたはシート等（以下「フィルム等」という）の中に開閉自在なジッパー４を熱融着して小出し部３と収容部２を分割形成するものである。
【０００８】
このとき、収容部２は内容物収容機能を満たす必要があるので、ジッパー４は収容部２側が小出し部３に対し数倍の容量になる位置に配置される。ジッパー４は合成樹脂製の所謂面チャックとして袋物に広く使用されているもので、雌雄の凹凸体からなるシングル式と２連に形成されるダブル式がある。いずれの形式のものも利用可能である。
小出し部３の上端部および収容部２の下端部の上面と下面部分を熱融着することにより袋体を完成させる。なお、収容部２には内容物を充填した後に下端部を熱融着する。
【０００９】
小出し部３の上面には内容物を取り出す取出口６を形成するための切り口３ｃが設けられている。切り口３ｃによって遮蔽シート部３ｂが形成され、この遮蔽シート部３ｂは小出し部３の収容部２寄りの位置を支点に収容部側に開くようになっている。
また、上端の中央部にはフックなどに掛けるための孔３ｆを有するフック掛３ｄが設けられている。
【００１０】
図２は、本発明による取出口付き袋体に熱貼着する蓋部の実施の形態を示す図で、（ａ）は正面図，（ｂ）は側面図である。
蓋部５は図１の小出し部３の上面全体を覆うように点線９で示す部分に熱貼着されるものである。蓋部５は小出し部３の左右端より突出し（突出部５ｃ）、さらに上端およびフック掛３ｄより突出した（突出部５ｂ）状態で貼着される。上端の突出部５ｂは開封するためのつまみ部として機能する。なお、左右端の突出部５ｃも補助的なつまみ部として機能させることが可能である。
蓋部５の裏面の貼着剤は再剥離性感熱型粘着剤等であり、突出部５ｂ，５ｃを除いた部分に適量塗布されて遮蔽シート部を含む周囲まで密閉するもので、消費者が内容物を取り出すために蓋部５を剥がした場合には、再密封することが困難なものである。小出し部３を構成するフィルム等に非再熱シール性のシーラントなどを塗布しておけば、さらに確実に再密封を防止することができる。
【００１１】
図３は、本発明による取出口付き袋体の蓋部を剥がす方向を説明するための部分斜視図である。
熱貼着された蓋部５の突出部５ｂをつまみ、小出し部３を押さえて蓋部５を引っ張りあげると、蓋部５を剥がすことができる。剥がす方向は収容部２側の方向である。蓋部５の裏面に遮蔽シート部３ｂが貼着されているので、蓋部５の起立に伴い、遮蔽シート部３ｂも起立する。切り出して形成される遮蔽シート３ｂは３ｅの位置で小出し部３に繋がっているため、蓋部５は３ｅの位置まで剥がすことができる。これにより取出口６は完全に開口する。図３は蓋部５が二点鎖線で表され、３ｅの位置で折れ曲がり略９０度起立させられた状態を示している。
【００１２】
図４は、本発明による取出口付き袋体の使用状態を説明するための図で、（ａ）は蓋部が開封されジッパーが開けられ収容部より内容物が小出し部の取出部に出ている状態を示す斜視図，（ｂ）は蓋部の突出部を小出し部の上端に係止した状態を示す拡大部分図である。
図４（ａ）において内容物としてピーナツ７と煎餅８が多数収容されている。上述のように突出部５ｂを摘んで蓋部５を小出し部３より剥がすと、遮蔽シート部３ｂが蓋部５の裏面に付いた状態で開き取出部６が現れる。遮蔽シート部３ｂの切れていない端部の位置３ｅを支点として蓋部５が収容部２を背にして起き上がる。取出部６を押さえ３ｅの内側に指を入れて上に持ち上げると、ジッパー４を外すことができる。図４（ａ）はジッパー４が外れて収容部２の中心部が膨らんだ状態を示している。この状態で、袋体１を小出し部３側が下がるように傾けるとピーナツ７と煎餅８が小出し部３に向かって滑っていくため取出口６にピーナツ７と煎餅８を導くことができる。
【００１３】
小出し部３に移動させた内容物が余った場合には、袋体１を収容部２側が下がるように傾けることにより、残ったピーナツ７と煎餅８を元の収容部２に容易に戻すことができ、ジッパー４を閉じることにより湿気など防止して保管することができる。蓋部５を立ち下げることにより取出口６が覆われるので埃やその他の物の小出し部３への進入を防ぐことができ、衛生面および安全性を向上させることができる。蓋部５の支点となる３ｅ部分は小出し部３に繋がっているため、被せた蓋部５が取出口６からずれることはなく、また蓋部５は小出し部３より大きいため、確実に埃などの進入を防ぐことができる。
また、蓋部５は再度被せても小出し部３に貼着することがないため、袋体を内側に折り曲げて蓋部５を収容部で押すような状態で保管するか、または折り曲げないで上向きに保管する場合には蓋部５を重りなどで押さえ付けない限り、遮蔽シート部の弾性により浮き上がったり、または保管場所が戸外のシーツの上などの場合には風などの影響により簡単に浮き上がってしまい小出し部に埃などが進入してしまう。
しかしながら蓋部に可塑性シートを用いれば、図３（ｂ）に示すように小出し部３より突出している突出部５ｂ，５ｃを折り曲げて小出し部３の側端や上端（フック掛け３ｄ）に係止することが可能なため、保管中の遮蔽シート部の弾性や風などによる浮き上がりを確実に防止できる。
【００１４】
以上の実施の形態は、切り出される遮蔽シート部と切り出しにより形成される取出口の大きさ，形状が同じ場合の例について説明したが、遮蔽シート部の形状，大きさを取出口に比較して小さい形状に加工しても良い。
また、筒状のフィルム内の所定の箇所にジッパーを熱融着させるとともに小出し部と収容部をそれぞれ形成し、小出し部に取出口を形成すべき切り込みを形成し、収容部に菓子などの内容物を充填し、小出し部と収容部の上下端部を熱融着し、蓋部を小出し部に加熱貼着する工程により製造する例を説明したが、例えば小出し部と収容部を別々に設け、後に貼着接合して袋体を形成する工程も可能である。
【産業上の利用可能性】
【００１５】
菓子袋，つまみ袋その他の入れ物として好適に使用できる。
【図面の簡単な説明】
【００１６】
【図１】本発明による取出口付き袋体の実施の形態を示す図である。
【図２】本発明による取出口付き袋体に熱貼着する蓋部の実施の形態を示す図である。
【図３】本発明による取出口付き袋体の蓋部を剥がす方向を説明するための部分斜視図である。
【図４】本発明による取出口付き袋体の使用状態を説明するための斜視図である。
【符号の説明】
【００１７】
１  取出口付き袋体
２  収容部
２ａ，３ａ  熱融着部
３  小出し部
３ｂ  遮蔽シート部
３ｄ，５ａ  フック掛
３ｆ  孔
４  ジッパー
５  蓋部
５ｂ，５ｃ  突出部
６  取出口
７，８  内容物（ピーナツ，煎餅など）
【図１】
2006056537.tif 000003
【図２】
2006056537.tif 000004
【図３】
2006056537.tif 000005
【図４】
2006056537.tif 000006